(57)【要約】  本開示によるミクロ構造光学アダプタまたはチップは、光エネルギー分配装置の入力または出力端と係合する精密ミクロ構造光学部品を組み込んで、光エネルギーの光の分配をカスタマイズする。射出成形したプラスチックまたはガラス部品における精密ミクロ構造光学部品を組み込むことによって、照明装置の端部を保護する役目も果たしながら出力光の変更を安価に実現できる。ミクロ構造光学部品をアダプタにも組み込んで、その後の装置への光エネルギーを調整することができる。【選択図】図１
2009535107.tif 000002
【特許請求の範囲】
【請求項１】
開口に対向して内側光学面と外側光学面を有するキャップを備え、前記開口は光ファイバーと摩擦係合する寸法を有し、前記内側光学面は複数のミクロ構造を有し、前記外側光学面は、複数のミクロ構造を有することを特徴とする光ファイバー用チップ。
【請求項２】
前記光ファイバーと前記内側光学面との間にエアギャップを備えた請求項１記載の光ファイバー用チップ。
【請求項３】
前記光ファイバーと前記内側光学面との間に屈折率移行材料を設けた請求項１記載の光ファイバー用チップ。
【請求項４】
前記内側光学面と前記外側光学面との間にエアギャップを備えた請求項１記載の光ファイバー用チップ。
【請求項５】
光ファイバーに係合する係合区間と、
光ファイバーと光管理キャップの間で光学特性を整合させる整合区間と、
光学的エネルギーの少なくとも１つの特性を変更するための本体区間と、
光学的エネルギーを方向付けるための出力区間とを備えたことを特徴とする光ファイバーからのエネルギーを方向付けするための光管理キャップ。
【請求項６】
前記係合区間に、さらに概ね筒状の開口を有し、前記整合区間に、さらにエアギャップを有し、前記本体区間に、さらに１つ以上のエアギャップを備え、前記出力区間に、さらに、複数のミクロ構造を備えた請求項５記載の光管理キャップ。
【請求項７】
前記係合区間に、さらに断面が概ね四角い開口を備え、前記整合区間に、さらにエアギャップを備え、前記本体区間に、さらに１つ以上のエアギャップを備え、前記出力区間に、さらに複数のミクロ構造を備えた請求項５記載の光管理キャップ。
【請求項８】
前記係合区間に、さらに概ね筒状の開口を備え、前記整合区間に、さらに屈折率整合材料を前記光ファイバーと前記本体区間との間に備え、前記本体区間に、さらに１つ以上のエアギャップを備え、前記出力区間に、さらに複数のミクロ構造を備えた請求項５記載の光管理キャップ。
【請求項９】
光ファイバーを係合するための入力開口と、
入力開口と光学的に並んだ入力面と、
エンドエレメントと係合するための出力開口と、
入力面と出力開口の間で光学的に並んだ出力面と、
入力面と出力面との間の移行本体と、
移行本体内の１つ以上のエネルギー適合要素と、
を備えたことを特徴とする光ファイバーからのエネルギーをエンドエレメントへ方向付けするための光ファイバーアダプタ。
【請求項１０】
前記移行本体と前記１つ以上のエネルギー適合要素のうちの少なくとも１つが類似しない材料で形成される請求項９記載の光ファイバーアダプタ。
【請求項１１】
前記１つ以上のエネルギー適合要素のうちの少なくとも１つがガラスで形成される請求項９記載の光ファイバーアダプタ。
【請求項１２】
前記移行本体が可撓性を有する請求項９記載の光ファイバーアダプタ。
【請求項１３】
前記入力開口が円形の断面を有し、前記出力開口が概ね長方形の断面を有する請求項９記載の光ファイバーアダプタ。
【請求項１４】
前記光ファイバーと前記入力面との間に設けられたエアギャップと、
前記エンドエレメントと前記出力面との間に設けられたエアギャップとを備えた
請求項９記載の光ファイバーアダプタ。
【発明の詳細な説明】
【技術分野】
【０００１】
本発明は、外科用照明の分野に関し、さらに詳しくは、外科用照明用のミクロ構造光学アダプタおよびエンドキャップに関する。
【背景技術】
【０００２】
光ファイバーのような照明装置は、多くの適用分野があり、一般的に、反射面または全反射といった従来の方法を採用し、光エネルギーを偏向または集束している。装置によっては、その先端またはチップの形状を変更して、集束または集束ずれ光線を生成するように構成したものもある。光ファイバーの変更は、一般的にはファイバーチップまたはファイバー束の端部を磨いたり、研磨したりすることによって行う。従来の技術には、融着接続機の使用などによる高温を利用して、光ファイバーのコアを溶融することによってボールチップ（ｂａｌｌ  ｔｉｐ）を形成する技術も含まれる。
【発明の開示】
【発明が解決しようとする課題】
【０００３】
上記の技術によって変更された装置は、保護されていないままの変更部位を有するために、精密に取扱う必要があり、このことが装置の使用範囲を狭めている。光ファイバーにおいては、そのチップを研磨または操作する技術は高コストであり、時間がかかり、さらに先端が破損しやすい。また、レンズ効果を有する表面を、装置自身に形成する技術には、限界があり、光出力レンズ効果の選択範囲も限定される。
【０００４】
医療用レーザーファイバーのような照明装置は、組織に直接接触したり、あるいは、流体の媒体の中で使用したりする場合が多い。このような設定では、各種媒体とファイバーとの屈折率が類似しているため、ファイバーから発せられるレーザー光の集束の制御が困難である。
【０００５】
光エネルギーを最適化し、所望の光性能を得るために、照明装置の先端処理または照明装置の適合化に関して多用途な技術が求められている。
【課題を解決するための手段】
【０００６】
本開示によるミクロ構造光学アダプタまたはチップは、光ファイバーレーザー発光装置のような、適した照明装置の端部に設ける光レンズ構造を内蔵する。キャップまたはアダプタに、例えば、格子、プリズムやディフューザのようなミクロ構造光学部品を、カスタマイズされた光エネルギーの分配を行うための精密光学として内蔵する。これらの部品は、割裂光ファイバー束などのように、射出成形したプラスチックまたはガラス部品として形成し、出力光を低価格で変更できるとともに、装置の端部を保護する役割を果たす。ミクロ構造光学部品は、アダプタに組み込んで、その後の装置への光エネルギーを調整する。ミクロ構造光学部品は、照明装置に入出力する光エネルギーを偏光および／またはフィルタにかけるために使用することもできる。
【０００７】
また、上記課題を解決する請求項１記載の光ファイバー用チップは、開口に対向して内側光学面と外側光学面を有するキャップを備え、前記開口は光ファイバーと摩擦係合する寸法を有し、前記内側光学面は複数のミクロ構造を有し、前記外側光学面は、複数のミクロ構造を有することを特徴とし、好ましい態様としては、前記光ファイバーと前記内側光学面との間にエアギャップを備えた請求項１記載のチップ、屈折率移行材料を、前記光ファイバーと前記内側光学面との間に設けた請求項１記載のチップ、前記内側光学面と前記外側光学面との間にエアギャップを備えた請求項１記載のチップが挙げられる。
【０００８】
さらに、上記課題を解決する請求項５記載の光ファイバーからのエネルギーを方向付けするための光管理キャップは、光ファイバーに係合する係合区間と、光ファイバーと光管理キャップの間で光学特性を整合させる整合区間と、光学的エネルギーの少なくとも１つの特性を変更するための本体区間と、光学的エネルギーを方向付けるための出力区間とを備えたことを特徴とし、好ましい態様としては、前記係合区間に、さらに概ね筒状の開口を有し、前記整合区間に、さらにエアギャップを有し、前記本体区間にさらに１つ以上のエアギャップを備え、前記出力区間に、さらに、複数のミクロ構造を備えた請求項５記載の光管理キャップ、前記係合区間にさらに、断面が概ね四角い開口を備え、前記整合区間にさらに、エアギャップを備え、前記本体区間にさらに１つ以上のエアギャップを備え、前記出力区間に、さらに複数のミクロ構造を備えた請求項５記載の光管理キャップ、前記係合区間にさらに、概ね筒状の開口を備え、前記整合区間にさらに屈折率整合材料を前記光ファイバーと前記本体区間との間に備え、前記本体区間は、さらに１つ以上のエアギャップを備え、前記出力区間は、さらに複数のミクロ構造を備えた請求項５記載の光管理キャップが挙げられる。
【０００９】
さらにまた、上記課題を解決する請求項９記載の光ファイバーからのエネルギーをエンドエレメントへ方向付けするための光ファイバーアダプタは、光ファイバーを係合するための入力開口と、入力開口と光学的に並んだ入力面と、エンドエレメントと係合するための出力開口と、入力面と出力開口の間で光学的に並んだ出力面と、入力面と出力面との間の移行本体と、移行本体内の１つ以上のエネルギー適合要素とを備えたことを特徴とし、好ましい態様としては、前記移行本体と前記１つ以上のエネルギー適合要素のうちの少なくとも１つが類似しない材料で形成される請求項９記載の光ファイバーアダプタ、前記１つ以上のエネルギー適合要素のうちの少なくとも１つがガラスで形成される請求項９記載の光ファイバーアダプタ、前記移行本体が可撓性を有する請求項９記載の光ファイバーアダプタ、前記入力開口が円形の断面を有し、前記出力開口が概ね長方形の断面を有する請求項９記載の光ファイバーアダプタ、前記光ファイバーと前記入力面との間に設けられたエアギャップと、前記エンドエレメントと前記出力面との間に設けられたエアギャップとを備えた請求項９記載の光ファイバーアダプタが挙げられる。
【発明を実施するための最良の形態】
【００１０】
以下、本発明の実施の形態を図面に基づいて説明する。
【００１１】
図１において、医療用照明ファイバー１０は、キャップ１４のようなエンドキャップに係合して、外側光学面１４Ａまたは内側光学面１４Ｂのような少なくとも１つのミクロ構造光学面および／またはギャップ１６のような１つ以上のエアギャップおよび／または光１２を制御するための屈折率整合材料によって光学パスを形成する。外側光学面１４Ａおよび内側光学面１４Ｂまたは内外側表面の一部のような適当な表面を形成し、構造１８Ａおよび／または１８Ｂのようなミクロ構造光学構造を設ける。キャップ１４はガラス、プラスチック、または他の適した材料で形成し、開口１３は光ファイバー１０と摩擦係合可能な寸法とする。
【００１２】
構造１８Ａまたは構造１８Ｂのような入力および／または出力ミクロ光学構造は、ミクロ構造光学部品を通過する光を回折、偏向、屈折、または偏光の１つ以上を達成するため、いかなる適した構成を採用してもよい。このような構造は、個々で、または組み合わせで使用して、ここで使用可能なホログラフィックフィルムに類似した光エネルギーの強度および／または位相に調整してもよい。
【００１３】
図２を参照すると、照明ファイバー１０は、ファイバー１０の端部２４に係合するキャップ２２のような光管理キャップを備える。キャップ２２のような本開示による光管理キャップは、機械的、摩擦、もしくは接着剤や他の適した技術によってファイバーの係合区間２１に係合する。キャップ２２の適合区間２３はエアギャップでもよく、または、アダプタ材料２６のような他の適当な材料を充填して、照明ファイバーを１０とキャップ２２との間で屈折率が適当に移行するようにしてもよい。キャップ２２の本体区間２５は、中実のキャップ材料で構成してもよく、あるいは、エアギャップまたは挿入部品などの適当な組み合わせを利用してもよい。キャップ区間または出力区間２７は、適した形状に形成してもよく、あるいは、構造１８Ａおよび１８Ｂのようなミクロ構造を含んで所望の出力光管理を行ってもよい。
【００１４】
図３を参照すると、光管理キャップ３０は１つ以上の室または他の挿入構造を有して照明ファイバー１０から発光される光を制御するように構成してもよい。室３２は空気または他の適した材料で充填して所望の光管理を行ってもよい。室３２の入射面３３及び出力面３５は、ミクロ光学構造１８Ａ、１８Ｂのような、いかなる適した表面特性を有するように形成してもよい。
【００１５】
図４を参照すると、ファイバーアダプタ３６は入力開口３６Ａと出力開口３６Ｂを有する。入力開口３６Ａは、寸法３４を有する照明ファイバー１０のような第１のエレメントと係合するとともに寸法３８を有するファイバー２０のような第２のエレメントに結合するようにいかなる適した形状を採用してもよい。寸法３４と３８は同じでも、異なっていてもよい。表面３７および３９はミクロ構造光学面１８Ａおよび１８Ｂのようないかなる適した表面特性を有するように形成してもよい。アダプタ３６のようなファイバーアダプタは、エレメント４０および４２のような１つ以上のエネルギー適合要素を含んでいてもよい。エレメント４０および４２は、従来の形状および／またはミクロ構造光学部品を含む１つ以上の表面を有する中実でも中空構造でもよい。アダプタ３６のようなアダプタも使用して、照明ファイバーを、いかなる適した寸法および形状を有するエンドエレメントに接続してもよい。エンドエレメントは、円形、楕円形、長方形、多角形、または、他の適した断面を有していてもよい。アダプタ３６のようなアダプタは、可撓性を有する中央部あるいは中央区画３６Ｃのような光導管を組み込んで、エレメント２０が照明ファイバー１０に対するいかなる方向の姿勢もとれるようにしてもよい。これにより、エレメント２０は、使用目的に合わせて、または、補助装置への取り付けの為に、選択した方向に向けることが可能になる。中央区画３６ｃは光ファイバー、シリコーン、または他の適した可撓性の材料で製作することができる。エレメント４０および４２は、例えば適当に設計されたレンズのように、この可撓性区画に出入りする光を媒介する役目を果たすものでもよい。
【００１６】
可撓性のアダプタ３６は、例えば、射出成形したシリコーンのような可撓性の材料で全体を構成してもよいし、あるいは、適した製作および組み立て技術を使って入力コネクタ、可撓性光導管、および出力コネクタを含む組立体として製作してもよい。可撓性のアダプタは、照明入力の永久部品、例えば、接着もしくは他の適した結合技術を使って光ファイバー光導ケーブルの一部として組み込むことにより、アダプタが照明入力から外れる恐れなくエンドエレメントを交換することができる。逆に、適した結合技術を使って可撓性アダプタをエンドエレメントまたは照明装置の永久部品として組み込んで、アダプタが外れる恐れなく、あるいは新しい装置を使用するたび毎にアダプタを取り替えるという工程を追加することなく、異なるエンドエレメント装置を同じ照明入力に使用することができる。
【００１７】
図５、図６および図７を参照すると、アダプタ４４は、ソケット５４で概ね円形の照明ファイバーと係合する。ソケット５６は、概ね長方形の断面を有する装置４６と係合する。上述した装置４６の表面４８には、装置４６への光伝達性を増強するために、適したミクロ構造光学部品を設けることができる。面５０のような面に、ミクロ構造光学部品や、偏光コーティング５２のような他のコーティングを施してもよい。アダプタ４４は、導光する可撓性の中間部を含み、装置４６がソケット５４の照明入力に対していかなる方向へも向くことができるように構成してもよい。
【００１８】
偏光コーティング５２は、偏光を、サイト６０を最適に見ることができるようにするための偏光を発する。レンズ６２のミクロ構造５８のような補完的な偏光ミクロ構造またはコーティングを使用することにより、カメラ６４のような、適した受光装置は、適切に偏光した光６６のみを受光し、光６８のような他の反射光を受光しないので、紛らわしい反射やぎらつきを最小限に抑えることができる。
【００１９】
図８を参照すると、アダプタ６９がエンドエレメント７０に結合されている。エンドエレメント７０は、光エネルギーを出力するための面７２、７３、７４、および７６のような１つ以上の発光面を含んでいてもよい。エンドエレメント７０の入力面７１は、偏光ミクロ構造７１Ａを組み込んでもよい。発光面は、それぞれ、ミクロ構造７２Ａ、７３Ａ，７４Ａ、および７６Ａのような偏光ミクロ構造またはコーティングを有していてもよく、２つ以上の発光面は同じような方向の偏光を有していてもよい。偏光入力の方向を制御することにより、光が補完的な偏光を有する１つ以上の面から発光されるようになる。例えば、アダプタ６９をエンドエレメント７０に対して回転させ、この回転により、アダプタ６９に形成されている別の偏光構造を偏光ミクロ構造７１Ａなしで入力面７１の少なくとも一部と一列に並べたり、アダプタ６９の相対回転がゼロ度で光が補完的偏光面７２から発光するが、別の補完的偏光面７４からは、アダプタ６９の相対回転が９０度で光が発光するというような構成にしてもよい。
【００２０】
エンドエレメント７０またはいかなるアダプタまたはエンドキャップも、１つ以上の構成エレメントを含むように構成し、エンドエレメント７０を、エンドエレメント７０に入力した光エネルギーを濾光および／または偏光し、発光された光７８に所望の周波数または周波数の組み合わせおよび／または偏光方向を与えるようにしてもよい。エンドエレメント７０はその構成エレメント（単数または複数）を、色層分析を可能とする光フィルタとして動作するように取り扱ってもよい。エンドエレメント７０は、例えば、光のある一部は濾光ミクロ構造またはコーティング７２Ａを有する面７２から出射され、ある一部は方向転換ミクロ構造プリズム７４Ａを有する面７４から出射され、ある一部は通常通り７６から出射される、というように、入射された光を分岐するための補助エレメント７４を含んでいてもよい。
【００２１】
ミクロ構造光学キャップも、組織または流体に届く前に光を屈折させる１つ以上の気体または空気充填室を含んでいてもよい。キャップまたはアダプタに充填する気体およびまたはそれらの材料に添加する添加剤を選ぶことによって、キャップまたはアダプタをフィルタとして動作させて所望の周波数（単数または複数）の光を通すように構成してもよい。
【００２２】
本開示によるミクロ構造光学アダプタまたはチップは、ミクロ構造光学部品を使用して照明ファイバーの光出力を管理または適合させるように構成してもよい。標準的なファイバーに取り付け可能な平坦なウインドウ上に射出成型されたミクロ構造光学部品を１つ以上含む装置またはアダプタを作成することによって、照明ファイバーの先端を研磨する必要なく、照明ファイバーの光出力を制御することができる。
【００２３】
別の局面では、アダプタまたはキャップの光学パスの１つ以上の面に、所定のミクロ構造光学部品を含んでいてもよい。特定のミクロ構造面またはパターンを形成することにより、異なる光学光出力形状を得ることができる。
【００２４】
光を偏光させるとともに特殊な形状に集光するミクロ構造技術を適用することもできる。ミクロ構造は屈折エレメントの後および／または前に適用してビームを偏向すると同時に整形することができる。ミクロ構造面は、１つ以上のエアギャップおよび／または従来の表面整形と組み合わせて所望の光学特性を実現することもできる。
【００２５】
他の可能な構成により、キャップをファイバーの端部に係合固定することができる。これは、屈折率整合糊を使用した接着あるいは、空気空間を機械的に残すことによって実現することができる。キャップは、ガラス、プラスチック、あるいは他の適した光学材料で形成可能である。
【００２６】
本開示によるミクロ構造光学アダプタを使用して光ファイバーまたはファイバー束のような従来の円形のソースから適した照明エネルギーを、適した断面を有するエンドエレメントに適合させることができる。このアダプタは、可撓性を有し、使用者がエンドエレメントをソースに対して好ましい方向に向けることができるように構成してもよい。ミクロ構造光学部品および／または従来の回折およびまたは屈折エレメントを使用することにより、光エネルギーのファイバーからエンドエレメントへの最適な伝達が可能となる。これらの構造は、射出成形の一部でもよいし、別のフィルムとして適用することもできる。
【００２７】
本開示のさらに別の局面によると、照明経路における１つ以上の面を、射出成形したミクロ構造光学部品、薄膜コーティング等のような、適した技術を使って偏光することができる。外科的環境において偏光を使用することにより、よりよい照明を提供することができ、ビデオ、スチルカメラ、外科用ループ、顕微鏡、フェイスシールドまたは外科医用めがねなどのような観察装置に補完的な直交偏光材料を使用することにより、ぎらつきの反射を減らし、視覚歪像が低減するとともに、外科的患部の色解像度をより正確にすることができる。
【００２８】
工程が高価で複雑であるため、標準的な光ファイバー束は、偏光を保持しない。よって、光ファイバー束によって伝達された偏光は解消される。偏光構造を有するチップ装置を適用することにより、偏光が射出されるようになる。
【００２９】
本開示のさらに別の局面では、染料のようなフィルタ添加物または例えば回折格子のような構造を組み込んだミクロ構造光学チップまたはアダプタにより、選択した周波数の光を生成することができる。光出力の周波数を選択することにより、選択的な反射および／または吸収が可能となり、外科的処置、治療または診断効果を高めることができる。
【００３０】
偏光および濾光部品は、その後、照明装置に適用されるアダプタおよび／またはチップ内に設けてもよいが、本開示のさらに別の局面によると、これらの部品を直接照明装置に設けている。先述のように、光ファイバーはこれらの部品を形成するために変更を加えることが非常に困難であるが、現代のツールや射出成形プロセスにより、例えば、プラスチックの導波管または光管によってそれが可能となる。面は、射出成形された照明装置中に形成することができ、通常、屈折面として作用する面の表面は、偏光及び／または濾光機能を有するミクロ構造光学部品を含むように変更することができる。例えば、照明装置に入射した光が偏光として射出されるように、入力面に偏光機能を有する構造を形成できる。
【００３１】
さらに、ミクロ構造光学部品は、金属または他の適した材料、例えば、ビームスプリッタまたは偏光格子のような他の適した材料で形成し、プラスチック製の照明装置と一体成形する。例えば、プラスチック製の光管の中央に一体に整形したビームスプリッタは、入射する光ビームの一部を、一体成形した緑のフィルタ回折格子を利用して一面から出射させるとともに、光ビームの一部を、一体成形した赤のフィルタ回折格子を利用して第２の面から出射させるようにすることができる。使用者は、単に光管の位置を変えていずれかの色光を特定の目的に使用すればよい。
【００３２】
典型的な適用方法としては、光ファイバー光導ケーブルのような光ソースと、光ファイバー光管またはプラスチックの導波管または光管のようなエンドエレメント照明装置の間にアダプタを配設すればよい。例えば、偏光チップを標準的な光ファイバー光管に設けるなど、特定の機能のアダプタの変わりにチップを使用してもよい。使用者は、特定の光出力の必要性に応じてアダプタとチップを必要に応じて取り外して交換することができる。しかし、アダプタとチップを、例えば外科処置の間に取り外して交換する作業は面倒である。
【００３３】
そこで、別の実施形態として、偏光を所定の角度だけ回転することができる１／２波板のような偏光回転装置によって、エンドエレメント装置上の整合偏光面またはチップ内の偏光区分と組み合わせる偏光角度を変更してもよい。各面または区分は、異なる視野角に向けても、フィルタリングフィルムを設けてもよい。偏光回転装置は、特定の偏光角度に調整し、偏光は、エンドエレメントを通って整合偏光を有する面またはチップ区分まで進む。すると光は、この整合出力面または区分から出るが、偏光効果のため、他の面または区分からは出ない。これを利用して、視覚のある領域を選択的に照明したり、あるフィルタを選択して視覚内の要素がよりよく見えるようにすることができる。例えば、外科的処置においては、調整可能な偏光器を調整して血管を可視化するために適した濾過光を提供するチップ区分からのみ光るが、一方、調整可能な偏光器で異なる設定をすることにより、神経を可視化するために適した異なる色の光を提供する別のチップ区分から光るようにすることができる。
【図面の簡単な説明】
【００３４】
【図１】本開示によるレーザーファイバーおよびミクロ構造光学エンドキャップの断面図
【図２】本開示による別のミクロ構造光学エンドキャップの断面図
【図３】本開示によるさらに別のミクロ構造光学エンドキャップの断面図
【図４】本開示によるミクロ構造光学アダプタの断面図
【図５】本開示によるミクロ構造光学アダプタとエンドエレメントの断面図
【図６】図５のミクロ構造光学アダプタのＡ−Ａに沿って切った断面図
【図７】図５のミクロ構造光学アダプタのＢ−Ｂに沿って切った断面図
【図８】本開示によるミクロ構造光学アダプタとエンドエレメントの側面図
【符号の説明】
【００３５】
１０：医療用照明ファイバー
１２：光
１４、２２：キャップ
１４Ａ：外側光学面
１４Ｂ：内側光学面
１６：ギャップ
２０：エレメント
２６：アダプタ材料
３０：光管理キャップ
３２：室
３３：入射面
３６Ａ：入力開口
３６：アダプタ
５２：偏光コーティング
７０：エンドエレメント
７２Ａ、７３Ａ，７４Ａ、および７６Ａ：ミクロ構造
【図１】
2009535107.tif 000003
【図２】
2009535107.tif 000004
【図３】
2009535107.tif 000005
【図４】
2009535107.tif 000006
【図５】
2009535107.tif 000007
【図６】
2009535107.tif 000008
【図７】
2009535107.tif 000009
【図８】
2009535107.tif 000010
【国際調査報告】
2009535107.tif 000011